(57)【要約】【課題】この発明は、トラスの床面に堆積した油やごみなどを簡易に清掃できるエスカレータの清掃方法およびそれに用いられる清掃装置を得る。【解決手段】清掃装置は、帰路側区間内の１つのステップ軸に取付金具３３を装着してステップ軸１２に回動可能に取り付けられる清掃具保持部材３０と、清掃具保持部材３０の保持棒３１に装着されてトラス底面６０に接するように配設される第１の清掃具３５と、清掃具保持部材３０が取り付けられたステップ軸１２の下方に位置するステップ軸に取付金具４３を装着して当該ステップ軸１２に回動可能に取り付けられる圧力付加部材４０と、清掃具保持部材３０と圧力付加部材４０のばね受け部３４，４４の対に装着されて圧力付加部材４０のステップ軸１２周りの回動トルクを清掃具保持部材３０に伝達するコイルばね４５と、を有する。【選択図】図５
2012062167.tif 000002
【特許請求の範囲】
【請求項１】
上階と下階とに掛け渡されたトラスと、
上記トラスの上部機械室に設置された上部踏み段スプロケットと該トラスの下部機械室に設置された下部踏み段スプロケットとに巻き掛けられた無端状の踏み段チェーンと、
上記踏み段チェーンに一定の間隔で取付けられたステップ軸のそれぞれに固定されて無端状に配置され、該踏み段チェーンの走行に連動して循環走行する複数の踏み段と、を備えたエスカレータの清掃装置であって、
所定長さの保持棒、該保持棒の長さ方向に離間して、該保持棒からその長さ方向と直交する方向に、かつ同一方向に延設された一対の保持棒支持腕、および該一対の保持棒支持腕の先端に取り付けられた保持部材取付金具を有し、該保持部材取付金具により上記踏み段の帰路側経路に位置する上記ステップ軸の中の１つである第１のステップ軸に回動可能に取り付けられる清掃具保持部材と、
上記保持棒に装着されてトラス底面を清掃する清掃具と、
所定長さの圧力付加棒、該圧力付加棒の長さ方向に離間して、該圧力付加棒からその長さ方向と直交する方向に、かつ同一方向に延設された一対の圧力付加棒支持腕、および該一対の圧力付加棒支持腕の先端に取り付けられた圧力付加部材取付金具を有し、該圧力付加部材取付金具により上記踏み段の帰路側経路に位置する上記ステップ軸の中の、上記第１のステップ軸の下方に位置する第２のステップ軸に回動可能に取り付けられる圧力付加部材と、
上記圧力付加部材の上記第２のステップ軸周りの回動トルクを上記保持棒に伝達して上記清掃具を上記トラス底面に押圧させるように作用させる圧力伝達部材と、
を備えたことを特徴とするエスカレータの清掃装置。
【請求項２】
上記清掃具は、ゴム又は金属製のＶ字形のブレードを有し、該ブレードがＶ字形の開口を上記下部機械室側に向けて、底面を上記トラス底面に接するように上記保持棒に装着されることを特徴とする請求項１記載のエスカレータの清掃装置。
【請求項３】
上記清掃具は、所定長さを有するフェルト製のはけ部を有し、該はけ部が上記トラス底面の幅方向に延在して該トラス底面に接するように上記保持棒に装着されることを特徴とする請求項１記載のエスカレータの清掃装置。
【請求項４】
請求項１に記載のエスカレータの清掃装置を用いて上記トラス底面を清掃する清掃方法であって、
往路側区間の上部側に位置する所定個数の上記踏み段を取り外して上記ステップ軸を露出させ、該踏み段が取り外された領域の先端側が上記トラス内の帰路側区間の上部側に位置するようにエスカレータを走行させる工程と、
上記清掃具を上記保持棒に装着する工程と、
上記帰路側区間の上部側に位置する、上記踏み段が取り外されている領域に露出する上記ステップ軸の中の１つである上記第１のステップ軸に上記保持部材取付金具を装着して該第１のステップ軸に上記清掃具保持部材を回動可能に取り付ける工程と、
上記第１のステップ軸の下方に位置する上記第２のステップ軸に上記圧力付加部材取付金具を装着して該第２のステップ軸に上記圧力付加部材を回動可能に取り付ける工程と、
上記圧力付加部材の上記第２のステップ軸周りの回動トルクを上記清掃具保持部材に伝達するように上記圧力伝達部材を取り付け、上記清掃具を上記トラス底面に押圧させる工程と、
上記エスカレータを上昇走行させて、上記清掃具を上記下部機械室側に移動させ、上記トラス底面を清掃する工程と、を有することを特徴とするエスカレータの清掃方法。
【請求項５】
上記清掃具が、所定長さのフェルト製のはけ部を有し、該はけ部が上記トラス底面に接して該トラス底面の幅方向に延在するように上記保持棒に装着されていることを特徴とする請求項４記載のエスカレータの清掃方法。
【請求項６】
上記清掃具が、Ｖ字形のブレードを有する第１の清掃具であり、第１の清掃具が、該ブレードのＶ字形の開口を上記下部機械室側に向けて、該ブレードの底面を上記トラス底面に接するように上記保持棒に装着されていることを特徴とする請求項４記載のエスカレータの清掃方法。
【請求項７】
上記第１の清掃具が上記下部機械室に到達した後、該第１の清掃具を取り外す工程と、
所定長さのフェルト製のはけ部を有する第２の清掃具を、該はけ部が上記トラス底面に接して該トラス底面の幅方向に延在するように上記保持棒に装着する工程と、
上記エスカレータを下降走行させて、上記第２の清掃具を上記上部機械室側に移動させ、上記トラス底面を清掃する工程と、を有することを特徴とする請求項６記載のエスカレータの清掃方法。
【発明の詳細な説明】
【技術分野】
【０００１】
この発明は、エスカレータのトラス床面の清掃方法およびそれに用いられる清掃装置に関するものである。
【背景技術】
【０００２】
一般に、エスカレータのトラスの底面は、油やごみなどで汚れやすく、定期的に清掃されている。この種の清掃は、トラス内にその昇降方向に無端状に設置された全踏み段のほぼ半分を取り外し、残りの踏み段をトラスの下方に移動させてトラスの作業スペースを確保し、トラスの上部の清掃を行い、ついでトラスの下方に移動させていた踏み段をトラスの上部に戻し、トラスの下部の清掃を行い、トラス全体の清掃が完了したら、取り外していた踏み段をトラス内に戻していた。
しかしながら、清掃作業の度に、ほぼ半分の踏み段の取り外し／取り付け作業が必要となり、作業負荷が多大となるとともに、作業時間が長くなるという不具合があった。
【０００３】
このような状況を鑑み、清掃用マットをトラスの床面上に昇降方向に連続して設置しておき、清掃時に、清掃用マットの上端をトラス内の上部に位置する踏み段の１つに連結し、踏み段を上昇走行させて清掃用マットをトラスの下端部に設けられた作業用ピット側に引き寄せ、清掃用マット上に堆積した油やごみなどを回収した後、清掃用マットの上端を踏み段に連結して踏み段を下降走行させ、清掃用マットの上端をトラスの床面の上部まで移動させ、清掃用マットと踏み段との連結を解除する従来のエスカレータのトラスの床面の清掃方法が提案されている（例えば、特許文献１参照）。
【先行技術文献】
【特許文献】
【０００４】
【特許文献１】特開平０７−２５２０８１号公報
【発明の概要】
【発明が解決しようとする課題】
【０００５】
従来のエスカレータのトラスの床面の清掃方法では、トラスの床面上の昇降方向の全域に付設された清掃用マットを作業用ピット側に引き寄せ、清掃用マット上に堆積した油やごみなどを回収しているが、トラス下部の作業用ピットは狭く、清掃用マット上に堆積した油やごみなどの回収作業ができない。そこで、別途、広い回収作業スペースが必要となるとともに、作業用ピットに引き寄せられた清掃用マットを別途用意された広い回収作業スペースに運び出して回収作業を行う必要があり、回収作業が煩雑となるという不具合があった。
【０００６】
この発明は、上記課題を解決するためになされたもので、トラスの床面に堆積した油やごみなどを簡易に清掃できるエスカレータの清掃方法およびそれに用いられる清掃装置を得ることを目的とする。
【課題を解決するための手段】
【０００７】
この発明によるエスカレータの清掃装置は、上階と下階とに掛け渡されたトラスと、上記トラスの上部機械室に設置された上部踏み段スプロケットと該トラスの下部機械室に設置された下部踏み段スプロケットとに巻き掛けられた無端状の踏み段チェーンと、上記踏み段チェーンに一定の間隔で取付けられたステップ軸のそれぞれに固定されて無端状に配置され、該踏み段チェーンの走行に連動して循環走行する複数の踏み段と、を備えたエスカレータの清掃装置であって、所定長さの保持棒、該保持棒の長さ方向に離間して、該保持棒からその長さ方向と直交する方向に、かつ同一方向に延設された一対の保持棒支持腕、および該一対の保持棒支持腕の先端に取り付けられた保持部材取付金具を有し、該保持部材取付金具により上記踏み段の帰路側経路に位置する上記ステップ軸の中の１つである第１のステップ軸に回動可能に取り付けられる清掃具保持部材と、上記保持棒に装着されてトラス底面を清掃する清掃具と、所定長さの圧力付加棒、該圧力付加棒の長さ方向に離間して、該圧力付加棒からその長さ方向と直交する方向に、かつ同一方向に延設された一対の圧力付加棒支持腕、および該一対の圧力付加棒支持腕の先端に取り付けられた圧力付加部材取付金具を有し、該圧力付加部材取付金具により上記踏み段の帰路側経路に位置する上記ステップ軸の中の、上記第１のステップ軸の下方に位置する第２のステップ軸に回動可能に取り付けられる圧力付加部材と、上記圧力付加部材の上記第２のステップ軸周りの回動トルクを上記保持棒に伝達して上記清掃具を上記トラス底面に押圧させるように作用させる圧力伝達部材と、を備えている。
【発明の効果】
【０００８】
この発明では、圧力付加部材による第２のステップ軸周りの回動トルクが、圧力伝達部材を介して清掃具保持部材に伝達され、清掃具をトラス底面に押付けるように作用する。そして、エスカレータを上昇走行させると、清掃具がトラス底面に押付けられながら下部機械室側に移動することになり、トラス底面に付着している油やごみなどが清掃具とともに下部機械室に引き寄せられる。そこで、下部機械室に引き寄せられた油やごみなどを下部機械室内でブラシなどを用いて回収でき、別途、広い回収作業スペースが必要とならず、回収作業が簡易となる。
【図面の簡単な説明】
【０００９】
【図１】エスカレータにおける全体構成を模式的に示す側面図である。
【図２】エスカレータにおける踏み段の構成を説明する斜視図である。
【図３】この発明の実施の形態に係る清掃装置の構成を説明する分解斜視図である。
【図４】この発明の実施の形態に係る清掃装置に用いられる清掃具を示す斜視図である。
【図５】この発明の実施の形態に係るエスカレータの清掃方法を説明する要部斜視図である。
【発明を実施するための形態】
【００１０】
まず、実施の形態を記載する前に、エスカレータの構造について図を用いて説明する。
図１はエスカレータにおける全体構成を模式的に示す側面図、図２はエスカレータにおける踏み段の構成を説明する斜視図である。
【００１１】
図１および図２において、エスカレータ１は、傾斜部２ａ、および傾斜部２ａの上下両端部からそれぞれ水平に突設された上部水平部２ｂおよび下部水平部２ｃからなり、上部水平部２ｂおよび下部水平部２ｃを上階および下階に設置して上下階床間に架け渡されたトラス２と、上部水平部２ｂに設けられた上部機械室３内に設置された電動機５と、上部機械室３内に設置され、電動機５と駆動チェーン６により連結された駆動スプロケット７と、駆動スプロケット７と同軸に取付けられた上部踏み段スプロケット８と、下部水平部２ｃに設けられた下部機械室４内に設置された下部踏み段スプロケット９と、上部踏み段スプロケット８と下部踏み段スプロケット９とに巻き掛けられた無端状の踏み段チェーン１０と、踏み段チェーン１０に一定の間隔で取付けられたステップ軸１２に固定され、電動機５により駆動されて上部乗降口１５と下部乗降口１６との間を循環走行する複数の踏み段１１と、循環走行する踏み段１１の往路側で、踏み段１１の両側に踏み段１１の走行方向に沿って延在するようにトラス２に立設された一対の欄干１９と、移動手摺り駆動装置１３により踏み段１１と同じ速度で欄干１９に案内されて移動する無端状の移動手摺り２０と、上部機械室３に設けられ、電動機５の駆動を制御する制御盤１４と、を備えている。
【００１２】
また、上部乗降口１５は、上部機械室３を塞口するように床板１７をトラス２の上部水平部２ｂに設置して構成されている。下部乗降口１６は、下部機械室４を塞口するように床板１８をトラス２の下部水平部２ｃに設置して構成されている。
【００１３】
このように構成されたエスカレータ１では、電動機５が駆動され、電動機５の回転トルクが駆動チェーン６を介して駆動スプロケット７に伝達され、駆動スプロケット７と上部踏み段スプロケット９が回転駆動される。これにより、上部踏み段スプロケット８と下部踏み段スプロケット９とに巻き掛けられた無端状の踏み段チェーン１０が循環走行し、踏み段１１が上部乗降口１５と下部乗降口１６との間を循環走行する。また、駆動スプロケット７の回転トルクが移動手摺り駆動装置１３に伝達され、移動手摺り２０が踏み段１１と同期して欄干１９に案内されて移動する。そして、エスカレータ１が、例えば上昇運転されている場合には、利用者は、下階の下部乗降口１６から踏み段１１に乗り込み、上部乗降口１５まで搬送されると、踏み段１１から上部乗降口１５に乗り移り、上階に移動できる。
【００１４】
踏み段１１の循環路は、床板１７と床板１８との間を走行する往路側区間と、床板１７の下部で走行方向を反転する上部反転部、床板１８の下部で走行方向を反転する下部反転部、上部反転部と下部反転部との間のトラス２内を走行する帰路側区間を有している。ここで、エスカレータ１が上昇走行するとすれば、即ち踏み段１１が下部乗降口１６から上部乗降口１５に上昇走行するとすれば、踏み段１１は、往路側区間を床板１７まで移動し、床板１７の下部乗降口１６側の端部からトラス２内に沈み込み、上部反転部を介して移動方向を反転され、トラス２内の帰路側区間を床板１７の下部まで移動し、下部反転部を介して移動方向を反転されて床板１８の上部乗降口１５側の端部から現れて往路側区間を上部乗降口１５側に移動する。
【００１５】
以下、本発明によるエスカレータの清掃方法およびそれに用いられる清掃装置の好適な実施の形態につき図面を用いて説明する。
【００１６】
図３はこの発明の実施の形態に係る清掃装置の構成を説明する分解斜視図、図４はこの発明の実施の形態に係る清掃装置に用いられる清掃具を示す斜視図である。
【００１７】
図３において、清掃具保持部材３０は、所定長さの保持棒３１と、保持棒３１の長さ方向に離間して、互いに平行に、かつ保持棒３１と直交するように、保持棒３１から同一方向に延設された一対の支持腕３２と、各支持腕３２の先端に取り付けられた取付金具３３と、保持棒３１の長さ方向に離間して、互いに平行に、かつ保持棒３１と直交するように、保持棒３１に突設された３つのばね受け部３４と、を備える。そして、支持腕３２およびばね受け部３４は、保持棒３１の長さ方向の中央を通る保持棒３１と直交する平面に対して面対称となるように保持棒３１に取り付けられている。
【００１８】
この清掃具保持部材３０は、後述するように、取付金具３３を帰路側区間に位置するステップ軸１２に装着してステップ軸１２に回動可能に取り付けられる。そして、支持腕３２の長さが、ステップ軸１２とトラス２の傾斜部２ａの底面（以下、トラス底面６０とする）との間の鉛直方向の距離より長く作製されている。そこで、ステップ軸１２に取り付けられた清掃具保持部材３０は、保持棒３１がステップ軸１２の鉛直位置より下部機械室４側でトラス底面６０に接するように配設される。このとき、ばね受け部３４は、水平方向に対して僅かに上向きとなるように、保持棒３１に突設されている。
【００１９】
第１の第１の清掃具３５は、Ｖ字状に構成された保持枠３６と、Ｖ字状に成形され、保持枠３６の各辺３６ａのＶ字状の内側縁部から延出するように、保持枠３６の下面に固着されたゴム製のブレード３７と、保持枠３６の各辺３６ａ上面の長さ方向の略中央部に固着された取り付けられた取付金具３８と、を備える。そして、保持枠３６およびブレード３７は、そのＶ字状の開口長さがトラス底面６０の幅方向長さと略等しくなるように作製されている。また、ブレード３７の辺３６ａの縁部から延出部は、延出するにしたがい先細りとなる断面形状に作製されている。
【００２０】
この第１の第１の清掃具３５は、後述するように、取付金具３８を保持棒３１に装着して、保持棒３１に回動可能に組み付けられる。そして、清掃具保持部材３０がステップ軸１２に取り付けられた際に、第１の第１の清掃具３５は、Ｖ字形の開口が下部機械室４側に向くように配設される。
【００２１】
圧力付加部材４０は、所定長さの圧力付加棒４１と、圧力付加棒４１の長さ方向に離間して、互いに平行に、かつ圧力付加棒４１と直交するように、圧力付加棒４１から同一方向に延設された一対の支持腕４２と、各支持腕４２の先端に取り付けられた取付金具４３と、圧力付加棒４１の長さ方向に離間して、互いに平行に、かつ圧力付加棒４１と直交するように、圧力付加棒４１から突設された３つのばね受け部４４と、を備える。そして、支持腕４２およびばね受け部４４は、圧力付加棒４１の長さ方向の中央を通る圧力付加棒４１と直交する平面に対して面対称となるように圧力付加棒４１に取り付けられている。
【００２２】
この圧力付加部材４０は、後述するように、清掃具保持部材３０が取り付けられるステップ軸１２の下部機械室４側の隣りに位置するステップ軸１２に取付金具４３を装着して当該ステップ軸１２に回動可能に取り付けられる。支持腕４２の長さが、ステップ軸１２に取り付けられた清掃具保持部材３０のトラス底面６０に接している保持棒３１と、圧力付加部材４０が取り付けられるステップ軸１２との間の距離より短く作製されている。そして、ばね受け部４４は、ステップ軸１２に取り付けられた圧力付加部材４０の圧力付加棒４１がトラス底面６０の接している保持棒３１に近接したときに、ばね受け部３４と相対し、かつ両者の突出方向が略一致するように、圧力付加棒４１に突設されている。
【００２３】
圧力伝達部材としてのコイルばね４５は、相対するばね受け３４，４４の各対に装着されて、圧力付加部材４０の荷重を清掃具保持部材３０に伝達する。
【００２４】
図４において、第２の清掃具４６は、所定長さの保持枠４７と、保持枠４７の下端から延出するように、保持枠４７の長さ方向の全域にわたって配設されたフェルト製のはけ部４８と、保持枠４７の上面の長さ方向の中央部に取り付けられた取付金具４９とを備える。なお、保持枠４７は、トラス底面６０の幅方向長さの略半分の長さに形成されている。
【００２５】
つぎに、このように構成された清掃装置を用いたトラス底面６０の清掃方法について図５を参照しつつ説明する。
【００２６】
まず、取付金具３８を保持棒３１に装着し、ボルト５０ａとナット５１ａにより取付金具３８を締着し、第１の第１の清掃具３５を保持棒３１に回動可能に取り付ける。このとき、第１の第１の清掃具３５は、そのＶ字状の開口側がばね受け部３４の延出方向に一致し、Ｖ字状の頂点が保持棒３１の長さ方向の略中央に位置するように、清掃具保持部材３０に取り付けられる。
【００２７】
ついで、往路側区間の上部側に位置する１０枚程度の踏み段１１を取り外し、ステップ軸１２を露呈させた後、踏み段１１を取り外した部位の後端側が往路側区間の上部側に位置し、踏み段１１を取り外した部位の先端側が帰路側区間の上部側に位置するまで、エスカレータ１を上昇運転させる。
【００２８】
そして、作業者がトラス２内に入り、トラス２内の帰路側区間に位置する踏み段１１を外して露出されている１つのステップ軸１２に取付金具３３を装着し、ボルト５０ｂとナット５１ｂにより取付金具３３を締着して、清掃具保持部材３０をステップ軸１２に回動可能に取り付ける。これにより、清掃具保持部材３０が自重によりステップ軸１２周りに回動し、保持棒３１がトラス底面６０に接近する。そして、保持棒３１のトラス底面６０への接近により、ブレード３７がトラス底面６０に接すると、第１の第１の清掃具３５が保持棒３１周りに回動して、ブレード３７の底面がトラス底面６０に接し、清掃具保持部材３０のステップ軸１２周りのそれ以上の回動が阻止される。これにより、第１の第１の清掃具３５は、Ｖ字状の開口を下階側に向けて、ブレード３７の底面の全面をトラス底面６０に接するように配置される。
【００２９】
ついで、清掃具保持部材３０が取り付けられたステップ軸１２の下部機械室４側に位置するステップ軸１２に取付金具４３を装着し、ボルト５０ｃとナット５１ｃにより取付金具４３を締着して、圧力付加部材４０をステップ軸１２に回動可能に取り付ける。そして、圧力付加部材４０をステップ軸１２周りに回動させて、ばね受け部４４をばね受け部３４に近づける。そこで、コイルばね４５を相対するばね受け部３４，４４の各対に装着し、図５に示されるように、清掃装置のセットが完了する。
【００３０】
このようにセットされた清掃装置においては、圧力付加部材４０の自重によるステップ軸１２周りの回動トルクが、コイルばね４５を介して清掃具保持部材３０に伝達され、第１の第１の清掃具３５をトラス底面６０に押付けるように作用する。
【００３１】
ついで、作業者がトラス２外、あるいは上部機械室３内に移動し、エスカレータ１を上昇運転させる。これにより、踏み段１１は帰路側区間を下階側に移動し、第１の第１の清掃具３５がブレード３８の底面をトラス底面６０に押付けられた状態で、下階側に移動する。そして、トラス底面６０に付着している油やごみなどが、第１の第１の清掃具３５の下階側への移動とともに、第１の第１の清掃具３５のＶ字形の底部側に集められる。
第１の第１の清掃具３５が下部機械室４に到達すると、エスカレータ１の上昇運転を停止し、第１の第１の清掃具３５のＶ字形の底部側に集められた油やごみなどをブラシなどを用いて回収する。
【００３２】
ついで、ボルト５０ｂとナット５１ｂとを取り外し、第１の清掃具３５を保持棒３１から取り外す。そして、取付金具４９を保持棒３１に装着し、ボルト５０ｄとナット５１ｄにより取付金具４９を締着し、２本の第２の清掃具４６を保持棒３１の長さ方向に隙間なく並べて保持棒３１に固着する。このとき、第２の清掃具４６は、トラス底面６０の幅方向の全域にわたって延在し、はけ部４８が圧力付加部材４０の自重によるステップ軸１２周りの回動トルクによりトラス底面６０に押付けられる。
【００３３】
ついで、エスカレータ１を下降運転させる。これにより、第２の清掃具４６が、はけ部４８でトラス底面６０上に残っている油汚れを拭き取りつつ、トラス２内を上階側に移動する。そして、清掃装置が上部機械室３に到達すると、エスカレータ１の下降運転を停止し、ボルト５０ｂ、５０ｃとナット５１ｂ、５１ｃとを取り外して清掃装置をステップ軸１２から取り外す。その後、踏み段１１を取り外した部位が往路側区間の上部側に到達するまでエスカレータ１を下降運転させ、取り外した踏み段１１を元に戻して、清掃作業を終了する。
【００３４】
このように、この実施の形態によれば、帰路側区間の上部側に位置する、踏み段１１が取り外された領域に露出するステップ軸１２の中の１つのステップ軸１２に取付金具３３を装着してステップ軸１２に清掃具保持部材３０を回動可能に取り付け、ついで、清掃具保持部材３０が取り付けられたステップ軸１２の下方に位置するステップ軸１２に取付金具４３を装着してステップ軸１２に圧力付加部材４０を回動可能に取り付け、ついで、コイルばね４５を相対するばね受け部３４，４４の各対に装着している。これにより、圧力付加部材４０の自重によるステップ軸１２周りの回動トルクが、コイルばね４５を介して清掃具保持部材３０に伝達され、第１の清掃具３５のブレード３７がトラス底面６０に押付けられる。
【００３５】
そこで、エスカレータ１を上昇走行させて、清掃具３５を下部機械室４側に移動させると、ブレード３７がトラス底面６０に押付けられながら下部機械室４側に移動することになり、トラス底面６０に付着している油やごみなどを効果的に下部機械室４側に引き寄せることができる。
また、ブレード３７とともに下部機械室４まで引き寄せられた油やごみはブラシなどで回収できるので、広い回収作業スペースは不要であり、下部機械室４内での作業により簡易に回収できる。
【００３６】
さらに、清掃具３５のブレード３７が、Ｖ字形に形成されている。そして、清掃具３５が、ブレード３７のＶ字形の開口を下部機械室４側に向けて、清掃具保持部材３０に取り付けられている。そこで、トラス底面６０に付着している油やごみなどは、ブレード３７のＶ字形の底部に集められるので、清掃装置が下部機械室４に到達したときに、油やごみの回収が簡易となる。
【００３７】
さらにまた、ブレード３７で集めた油やごみなどを回収した後、清掃具３５を取り外して、フェルト製のはけ部４８を有する第２の清掃具４６を清掃具保持部材３０に取り付け、エスカレータ１を下降走行させている。そこで、トラス底面６０に残っている油汚れなどがはけ部４８で拭き取られるので、トラス底面６０をきれいに清掃できる。
【００３８】
ブレード３７がゴム製であるので、ブレード３７の底面がトラス底面６０のゆがみ部分にも接し、油やごみの取り残しを少なくすることができる。
【００３９】
往路側区間の上部側に位置する複数枚の踏み段１１を取り外し、踏み段１１が取り外された領域を帰路側区間の上部側に移動させ、取付金具３３，４３をステップ軸１２に装着し、ボルト５０ｂ、５０ｃとナット５１ｂ、５１ｃを締着するだけで、清掃装置をセットすることができる。そして、エスカレータ１を上昇走行させるだけで、トラス底面６０を清掃できる。したがって、トラス底面６０の清掃作業における作業負荷が軽減されるとともに、作業時間を短縮できる。
【００４０】
なお、上記実施の形態では、清掃具３５を取り付けてエスカレータ１を上昇走行させて、トラス底面６０に付着している油やごみなどを回収した後に、清掃具３５を第２の清掃具４６に取り替えてエスカレータ１を下降走行させて、トラス底面６０に残った油汚れを拭き取るものとしているが、トラス底面６０の汚れ具合が軽微であれば、第２の清掃具４６を取り付けてエスカレータ１を上昇走行させて、トラス底面６０を清掃してもよい。
【００４１】
また、上記実施の形態では、ゴム製のブレード３７を用いるものとしているが、ブレードは金属製でもよい。金属製のブレードは高い剛性を有するので、トラス底面６０に付着している油やごみなどを剥ぎ取ることができ、トラス底面６０の汚れ具合が悪い場合に有効である。
【００４２】
また、上記実施の形態では、ブレード３７を除く部材の材料について言及していないが、所定の剛性を有していればよく、例えばアルミニウム、ステンレスなどの金属材料を用いることができる。また、圧力付加部材４０は、ステンレスに限らず、アルミニウムで作製してもよい。この場合、圧力付加部材が軽量となるので、圧力付加棒に重りを装着し、清掃具への押圧力を確保すればよい。
【符号の説明】
【００４３】
１  エスカレータ、２  トラス、３  上部機械室、４  下部機械室、８  上部踏み段スプロケット、９  下部踏み段スプロケット、１０  踏み段チェーン、１１  踏み段、１２  ステップ軸、３０  清掃具保持部材、３１  保持棒、３２  支持腕、３３  取付金具、３５  第１の清掃具、３７  ブレード、４０  圧力付加部材、４１  圧力付加棒、４２  支持腕、４３  取付金具、４５  コイルばね（圧力伝達部材）、４６  第２の清掃具、４８  はけ部、６０  トラス表面。
【図１】
2012062167.tif 000003
【図２】
2012062167.tif 000004
【図３】
2012062167.tif 000005
【図４】
2012062167.tif 000006
【図５】
2012062167.tif 000007